(57)【要約】【課題】写真プリントシステムにおいて、画像処理装置の補正処理条件を容易に設定できるようにする。【解決手段】入力された画像データを補正処理する画像処理装置５と、その画像処理装置５にて補正処理された画像又はそれと同等の補正処理を施された画像を表示するモニタ４ｂ，５２と、前記画像処理装置５による補正処理条件を入力操作する入力操作手段ＯＰと、前記画像処理装置にて補正処理された画像データに基づいて写真プリントを作製する写真プリント装置ＥＰとが設けられた写真プリントシステムにおいて、前記モニタ４ｂ，５２に、同一の画像の画像データについて複数段階に補正量を変化させて補正処理した複数の画像を表示させると共に、隣り合う２段階の補正量の画像を特定した状態で補正量の微調整を指示入力されたときに、その２段階の補正量の間で補正量の設定状態を変化させる微調整処理を実行する。【選択図】図２
2005331633.tif 000002
【特許請求の範囲】
【請求項１】
入力された画像データを補正処理する画像処理装置と、その画像処理装置にて補正処理された画像又はそれと同等の補正処理を施された画像を表示するモニタと、前記画像処理装置による補正処理条件を入力操作する入力操作手段と、前記画像処理装置の補正処理条件を管理する補正管理装置と、前記画像処理装置にて補正処理された画像データに基づいて写真プリントを作製する写真プリント装置とが設けられた写真プリントシステムであって、
前記補正管理装置は、
前記モニタに、同一の画像の画像データについて複数段階に補正量を変化させて補正処理した複数の画像を表示させると共に、
それらの画像のうちの隣り合う２段階の補正量の画像を特定した状態で補正量の微調整を指示入力されたときに、その２段階の補正量の間で、前記入力操作手段からの操作入力に従って前記画像処理装置に適用させる補正量の設定状態を変化させる微調整処理を実行するように構成されている写真プリントシステム。
【請求項２】
前記補正管理装置は、前記微調整処理において、隣り合う２段階の補正量の間での補正量の調整状態を識別可能な調整状態表示をモニタに表示させるように構成されている請求項１記載の写真プリントシステム。
【請求項３】
前記補正管理装置は、前記微調整処理において、隣り合う２段階の補正量の間で、前記画像処理装置に適用させる補正量を変化させるときに、補正量の調整に追従して補正処理後の画像をモニタに表示させるように構成されている請求項１又は２記載の写真プリントシステム。
【請求項４】
前記補正管理装置は、無背景の人物写真からなる証明写真の写真プリントを作製するときに、前記微調整処理を実行するように構成されている請求項１〜３のいずれか１項に記載の写真プリントシステム。
【発明の詳細な説明】
【技術分野】
【０００１】
本発明は、入力された画像データを補正処理する画像処理装置と、その画像処理装置にて補正処理された画像又はそれと同等の補正処理を施された画像を表示するモニタと、前記画像処理装置による補正処理条件を入力操作する入力操作手段と、前記画像処理装置の補正処理条件を管理する補正管理装置と、前記画像処理装置にて補正処理された画像データに基づいて写真プリントを作製する写真プリント装置とが設けられた写真プリントシステムに関する。
【背景技術】
【０００２】
かかる写真プリントシステムは、例えば写真フィルムの駒画像の読取り画像データやデジタルカメラの撮影画像データ等に基づいて写真プリントを作製するためのシステムであり、下記特許文献１にも記載のように、写真プリントを作製する過程において、システムのオペレータが、モニタの表示画像を観察しながら画像処理装置の補正処理条件を手動調整できる機能を備えている。尚、顧客が画像データの入力操作を行うプリント注文受付装置を備えるシステムでは、顧客自身がシステムのオペレータとなる場合がある。
画像処理装置の補正処理条件をオペレータが手動調整する際には、オペレータが入力操作手段から補正処理条件を入力操作したときは、モニタに表示される画像が、その補正処理条件が反映された画像に自動更新されるというような、補正処理条件の入力操作の支援機能が備えられる場合も多い。
【特許文献１】特開２００３−２７４０８２号公報
【発明の開示】
【発明が解決しようとする課題】
【０００３】
しかしながら、上述のような支援機能を備えても、補正処理条件の設定状態が最適か否かの判断をし辛い場合も少なくない。
本発明は、かかる実情に鑑みてなされたものであって、その目的は、写真プリントシステムにおいて、画像処理装置の補正処理条件を容易に設定できるようにする点にある。
【課題を解決するための手段】
【０００４】
本出願の第１の発明は、入力された画像データを補正処理する画像処理装置と、その画像処理装置にて補正処理された画像又はそれと同等の補正処理を施された画像を表示するモニタと、前記画像処理装置による補正処理条件を入力操作する入力操作手段と、前記画像処理装置の補正処理条件を管理する補正管理装置と、前記画像処理装置にて補正処理された画像データに基づいて写真プリントを作製する写真プリント装置とが設けられた写真プリントシステムにおいて、前記補正管理装置は、前記モニタに、同一の画像の画像データについて複数段階に補正量を変化させて補正処理した複数の画像を表示させると共に、それらの画像のうちの隣り合う２段階の補正量の画像を特定した状態で補正量の微調整を指示入力されたときに、その２段階の補正量の間で、前記入力操作手段からの操作入力に従って前記画像処理装置に適用させる補正量の設定状態を変化させる微調整処理を実行するように構成されている。
【０００５】
すなわち、オペレータが補正処理条件を決定する場合において、補正処理量を複数段階に変化させて補正を適用した場合の画像をモニタに表示することで、オペレータは、補正処理条件をどのように設定すべきかを的確に把握することができる。
しかも、補正処理条件の入力操作形態として、隣り合う２段階の補正量の間で、前記入力操作手段からの操作入力に従って前記画像処理装置に適用させる補正量の設定状態を変化させて補正量を微調整できるので、前記複数段階の補正処理を適用した複数の画像をモニタに表示させるときは、各段階間の補正量の差をある程度大きくして、表示する画像の数を極力少なくすることが可能となる。
これによって、オペレータが補正量の変化と画質の変化との関係を把握し易くなると共に、処理の高速化にも寄与できる。
【０００６】
又、本出願の第２の発明は、上記第１の発明の構成に加えて、前記補正管理装置は、前記微調整処理において、隣り合う２段階の補正量の間での補正量の調整状態を識別可能な調整状態表示をモニタに表示させるように構成されている。
従って、オペレータは、ある時点での補正量が、隣り合う２段階の補正量の間においてどの程度の位置にあるかを直感的に把握することができる。
【０００７】
又、本出願の第３の発明は、上記第１又は第２の発明の構成に加えて、前記補正管理装置は、前記微調整処理において、隣り合う２段階の補正量の間で、前記画像処理装置に適用させる補正量を変化させるときに、補正量の調整に追従して補正処理後の画像をモニタに表示させるように構成されている。
従って、オペレータは、隣り合う２段階の補正量の間で、補正量の微調整作業を行っているときに、その補正量を適用したときの画像を確認しながら調整作業を行える。
【０００８】
又、本出願の第４の発明は、上記第１〜第３のいずれかの発明の構成に加えて、前記補正管理装置は、無背景の人物写真からなる証明写真の写真プリントを作製するときに、前記微調整処理を実行するように構成されている。
すなわち、無背景の人物写真からなる証明写真の写真プリントは、人物のみがクローズアップされてその写り具合の適否については人の好みに左右されやすいものである。
従って、補正処理条件の設定にあたって上述のような支援機能を備えることで、写真プリントの作製を注文した顧客がモニタに表示された複数の補正画像を観察して、自己の嗜好に合った補正量を指定し易くなる。
【発明の効果】
【０００９】
上記第１の発明によれば、モニタに表示する補正画像の数を極力少なくして、補正量のおおよその調整目標を的確に特定し、その特定した範囲で補正量の微調整を行えるようにすることで、画像処理装置の補正処理条件を容易に設定できるものとなった。
又、上記第２の発明によれば、補正量の微調整時において調整状態を直感的に把握し易くすることで、補正処理条件の設定作業をより一層容易なものとすることができる。
又、上記第３の発明によれば、補正量の微調整時において、補正結果を確認しながら調整できるので、補正処理条件の設定作業を更に容易なものとすることができる。
又、上記第４の発明によれば、顧客が自己の嗜好に合った補正量の指定を容易に行える支援機能を備えることで、的確に顧客の要望に沿った証明写真の写真プリントを提供することができる。
【発明を実施するための最良の形態】
【００１０】
以下、本発明の写真プリントシステムの実施の形態を図面に基づいて説明する。
本実施の形態で例示する写真プリントシステムＤＰは、ブロック構成図として示す図２及び店舗に設置した状態の外観を示す図４に示すように、プリント注文受付装置ＯＲと、いわゆるデジタルミニラボ機として知られている写真プリント装置ＥＰと、各種のソースから画像データを取込んで写真プリント装置ＥＰへ送る画像データを生成する画像入力装置ＩＲとを主要部として構成されている。
このシステムでは、顧客が写真フィルムやメモリーカードを店舗の従業者であるオペレータに渡して、写真プリント装置ＥＰにて写真プリントを作製することができる他、顧客自身がオペレータとしてプリント注文受付装置ＯＲを操作してメモリーカード等の各種の記録媒体等の画像データから写真プリントの作製を注文することもできる。
【００１１】
〔画像入力装置ＩＲの概略構成〕
画像入力装置ＩＲには、図２に概略的に示すように、写真フィルムの駒画像を読み取るフィルムスキャナ３と、パーソナルコンピュータにて構成される主制御装置４と、フィルムスキャナ３等から入力された写真プリント作製用の画像データを補正処理する画像処理装置５とが備えられ、主制御装置４には、メモリーカードリーダ，光磁気ディスクドライブ及びＣＤ−Ｒ／ＲＷドライブ等を備えた外部入出力装置４ａと、仕上がりプリント画像をシミュレートしたシミュレート画像や各種の制御用の情報を表示するモニタ４ｂと、操作卓４ｃと、マウス４ｄとが接続されている。操作卓４ｃ及びマウス４ｄは、各種の制御情報の入力操作の他、画像処理装置５による補正処理条件を入力操作する入力操作手段ＯＰとしての機能も備えている。
外部入出力装置４ａは、備えられている各ドライブから画像データの取込みが可能であると共に、各ドライブに対応した記録媒体に画像データ等を記録可能である。
【００１２】
〔画像処理装置５の概略構成〕
画像処理装置５には、図１に示すように、フィルムスキャナ３，外部入出力装置４ａあるいはプリント注文受付装置ＯＲから入力された画像データを一時的に記憶保持する入力バッファメモリ２１と、入力バッファメモリ２１に記憶された画像の縮小画像を生成する縮小画像生成回路２２と、入力バッファメモリ２１から読み込んだ画像データの補正処理を行う補正処理回路２３と、補正処理回路２３にて補正処理が完了した画像データを一時的に記憶保持する出力バッファメモリ２４とが備えられる他、主制御装置４とデータ通信を行うための送受信インターフェース２５，２６が備えられている。
【００１３】
主制御装置４側では、送受信インターフェース２５，２６の夫々と通信するために、２つの通信用拡張基板３１が主制御装置４の本体基板３２に取り付けられている。
各通信用拡張基板３１上には、夫々、送受信インターフェース２５，２６の夫々とデータ通信するための送受信インターフェース４１と、送受信インターフェース４１を介して入力された画像データを記憶する画像データ受信用の受信メモリ４２とが備えられている。
【００１４】
〔プリント注文受付装置ＯＲの概略構成〕
プリント注文受付装置ＯＲは、図２及び図３の外観斜視図に示すように、ＣＤ−Ｒメディアやメモリーカード等の各種の記録媒体を読取るための複数種類のドライブを備えた外部入出力装置５１と、各種の案内表示等を表示する表示機能と各種の指示を入力操作するための入力機能とを兼ね備えたタッチパネル式のモニタ５２と、上部筐体５３に内蔵されてパーソナルコンピュータにより構成される制御装置５４と、下部筐体５５に内蔵された入出金ユニット５６とが備えられている。
モニタ５２には、画像入力装置ＩＲのモニタ４ｂと同様に、画像処理装置５による補正処理条件を設定するためのシミュレート画像を表示可能であり、この場合には、タッチパネル式のモニタ５２自体が画像処理装置５による補正処理条件を入力操作する入力操作手段ＯＰとしても機能する。
入出金ユニット５６は、プリント注文受付装置ＯＲを利用して写真プリントの作製を注文する際の料金を徴収するための装置であり、下部筐体５５の正面側側面に紙幣及び硬貨を投入するための料金投入部５７と、釣り銭を排出するための釣り銭排出口５８とが備えられている。写真プリントの作製を依頼する顧客は、この入出金ユニット５６を利用して支払う方法と、店舗の従業者に直接支払う方法とを選択できる。
【００１５】
〔写真プリント装置ＥＰの全体構成〕
写真プリント装置ＥＰは、筐体内部に、画像形成装置ＥＸと、画像形成装置ＥＸにて画像が露光形成された印画紙２を現像処理する現像処理装置ＰＰと、筐体上部側に設置された印画紙マガジン６から引き出された印画紙２を多数の搬送ローラ９等にて現像処理装置ＰＰへ搬送する印画紙搬送系ＰＴとが設けられている。
写真プリント装置ＥＰの筐体外部には、図４に示すように、現像処理装置ＰＰにて現像処理及び乾燥処理された印画紙２をオーダ毎に分類するためのソータ７と、現像処理装置ＰＰから排出された印画紙２をソータ７へ搬送するコンベア８とが設けられている。
更に、印画紙搬送系ＰＴの搬送経路の途中には、印画紙マガジン６から引き出された長尺の印画紙２を設定プリントサイズに切断するカッタ１０が備えられている。
【００１６】
〔画像形成装置ＥＸの構成〕
画像形成装置ＥＸは、印画紙２上に露光画像を形成する画像形成ヘッド１３と、画像形成ヘッド１３を制御する露光制御装置１４とを主要部として構成されている。
画像形成ヘッド１３は、設定プリントサイズに切断された印画紙２の搬送経路の途中箇所を画像形成位置とするように取り付けられ、その画像形成位置において印画紙搬送方向（副走査方向）と直交する方向（主走査方向）でレーザビームを走査する。
画像形成ヘッド１３から出射されるレーザビームは、露光制御装置１４の制御によって、画像処理装置５から入力された画像データに基づいて強度変調されている。
印画紙搬送系ＰＴにて搬送駆動される印画紙２に対して上述のように強度変調されたレーザビームが走査されることで、印画紙２上に画像が露光形成され、それが現像処理装置ＰＰにて現像処理されると写真プリントとして仕上がる。
【００１７】
〔基本的なプリント動作〕
上記構成の写真プリントシステムＤＰによる基本的なプリント動作を、写真フィルムの読取り画像データに基づいて写真プリントを作製する場合について概説する。
写真フィルムから写真プリントを作製する場合は、通常、店舗の従業者が顧客から写真フィルムを受け取って、店舗の従業者がオペレータとして写真プリントシステムＤＰを操作する。
オペレータが、顧客から写真プリントの作製依頼を受けた写真フィルムをフィルムスキャナ３に装填して、写真フィルムの駒画像の読取りを開始させると、フィルムスキャナ３にて読取られた駒画像の画像データは順次に画像処理装置５の入力バッファメモリ２１に蓄積されて行く。
【００１８】
本実施の形態の写真プリントシステムでは、画像処理装置５に入力された画像データに対して補正処理回路２３にて自動的に補正処理を施して写真プリント装置ＥＰにてプリント処理させるフルオードモードの他に、オペレータが個々の画像の補正状態を確認した上で、写真プリント装置ＥＰにプリント処理させるセミオードモードによる処理が可能となっている。
上記セミオートモードで処理するように設定されたときは、入力バッファメモリ２１に蓄積された画像データは、縮小画像生成回路２２にてそれらの縮小画像が生成されて、通常の写真プリントでは６駒単位で主制御装置４へ送られる。
主制御装置４では、画像処理装置５から受け取った縮小画像に対して補正処理回路２３による補正処理と同等の補正処理を施し、それらをモニタ４ｂに表示する。
【００１９】
オペレータは、モニタ４ｂに表示された画像（この表示画像がシミュレート画像になっている）を観察して、良好な画像に補正処理されているか否かを確認し、補正処理条件を修正する必要があれば、操作卓４ｃあるいはマウス４ｄから補正処理条件の修正量を入力操作する。
操作卓４ｃあるいはマウス４ｄから、既定の補正処理条件で良好な画像が得られていることを確認する旨の入力操作がされるか、あるいは、補正処理条件の修正量が入力操作されると、その入力信号は画像処理装置５の補正処理回路２３に伝えられる。
補正処理回路２３は、その入力信号を反映した補正処理条件で入力バッファメモリ２１の画像データを補正処理して、補正処理が完了した画像データを出力バッファメモリ２４へ書込む。
【００２０】
出力バッファメモリ２４に書込まれた画像データは、順次に写真プリント装置ＥＰの露光制御装置１４へ送られ、印画紙搬送系ＰＴにて搬送される印画紙２に対して画像形成ヘッド１３で露光処理される。
画像形成ヘッド１３にて画像が露光形成された印画紙２は、現像処理装置ＰＰにて現像処理され、仕上がりプリントとして排出される。
以上、写真フィルムの駒画像を読取って写真プリントを作製する場合を説明したが、メモリーカードに記憶保存されている画像データを読取る等して、主制御装置４の外部入出力装置４ａあるいはプリント注文受付装置ＯＲの外部入出力装置５１から制御装置４を経て画像処理装置５の入力バッファメモリ２１に入力された画像についても上記と同様に処理される。但し、写真フィルムの駒画像の読取り画像データと、メモリーカード等の記録媒体から入力された画像データとでは、補正処理回路２３による既定の補正処理条件が異なっている。
【００２１】
〔証明写真のプリント〕
本実施の形態の写真プリントシステムＤＰでは、上記の基本的な写真プリントの作製動作の中に、無背景の人物写真からなる証明写真の写真プリントの作製を支援する機能も組み込まれている。
この機能は、画像処理装置５に適用させる補正処理条件の設定を支援する機能であり、主制御装置４及びプリント注文受付装置ＯＲの双方に組み込まれている。
写真プリントシステムＤＰを設置した店舗において、デジタルカメラにて顧客の写真撮影を行い、その撮影画像を記録保持したメモリーカードの画像データを取込んで証明写真の写真プリントを作製する場合を例に取って説明する。
通常、このような証明写真のための写真撮影は無背景で撮影される。但し、説明を省略するが、背景に事物が写っている人物写真から人物像のみを切り出すための機能も備えられている。
【００２２】
上記メモリーカードを主制御装置４の外部入出力装置４ａに装填して操作卓４ｃあるいはマウス４ｄの操作により、証明写真のプリント処理の開始が指示入力され場合には、主制御装置４が、図９のフローチャートに示す「補正量設定処理」を開始し、上記メモリーカードをプリント注文受付装置ＯＲの外部入出力装置５１に装填してモニタ５２のタッチパネルからの操作により、証明写真のプリント処理の開始が指示入力され場合には、制御装置５４が、図９のフローチャートに示す「補正量設定処理」を開始する。
すなわち、この種の操作に柔軟に対応できる顧客であれば、自らオペレータとしてプリント注文受付装置ＯＲを操作して、所望の補正処理条件を設定することができ、この種の操作に不慣れな顧客であれば、各種の入力操作自体は、店舗の従業者であるオペレータが行い、顧客はモニタ４ｂに表示された画像を観察して、所望の画像が得られるように表示画像の補正状態の適否についての要望をオペレータに伝える。
【００２３】
主制御装置４が実行する場合も、制御装置５４が実行する場合も、入力操作手段ＯＰの入力形態が異なるだけで、処理は基本的に共通であり、主制御装置４が図９の処理を実行する場合について説明する。尚。プリント注文受付装置ＯＲの制御装置５４にて実行する場合における画像処理装置５と制御装置５４との間の画像データや補正処理条件のデータの授受は、主制御装置４を介して行われる。
図９の処理が開始されると、先ずモニタ４ｂに、図５に示す補正主画面を表示する（ステップ＃１）。
図５に示す補正主画面では、画像処理装置５の縮小画像生成回路２２から受け取った画像データ（以下において、この画像データの画像を「元の画像」と称する場合がある）に標準の補正処理条件で補正処理を施した画像を表示する補正画像表示エリア６１と、黄色（Ｙ），マゼンタ（Ｍ），シアン（Ｃ）及び濃度（Ｄ）の夫々について補正処理条件を指示入力するためのＹＭＣＤ補正ボタン表示６２と、コントラストやシャープネス等の特殊補正処理の補正処理条件を指示入力するための特殊補正ボタン表示６３と、補正処理条件の設定が完了したことを指示入力するためのＯＫボタン表示６４と、補正処理条件の入力操作を中止するためのキャンセルボタン表示６５と、補正量を複数段階に変化させた補正処理した複数の画像をモニタ４ｂに表示させるためのステップ補正ボタン表示６６と、そのステップ補正ボタン表示６６で補正量を複数段階に変化させるときの補正項目を指定するための変化パラメータ指定欄６７とが表示される他、画像の向きを回転させるためのボタン表示やプリント枠を移動させるためのボタン表示等が表示されている。
補正画像表示エリア６１に表示する画像を生成するために元の画像に適用される補正処理は、画像処理装置５の補正処理回路２３による補正処理と同等のものであり、主制御装置４の補正処理能力は補正処理回路２３の補正処理能力には劣るものの、処理対象の画像サイズが小さいため、十分高速に補正処理を実行できる。
【００２４】
図５の補正主画面が表示されている状態で、操作卓４ｃあるいはマウス４ｄの操作で、ＹＭＣＤ補正ボタン表示６２又は特殊補正ボタン表示６３が押し操作され、更に、ポップアップ表示される補正量指定欄から補正量が入力操作されると（ステップ＃２）、指定された補正量で補正処理を実行し（ステップ＃３）、その結果得られた画像で補正画像表示エリア６１の表示画像を更新する（ステップ＃４）。
【００２５】
図５の補正主画面が表示されている状態で、ステップ補正ボタン表示６６が押し操作されると（ステップ＃５）、変化パラメータ指定欄６７の設定対象項目を読取り（ステップ＃６）、ステップ補正ボタン表示６６が押し操作された時点の各補正項目の補正量を中心として、変化パラメータ指定欄６７で指定された補正項目について増加側と減少側の夫々で補正量を２段階に変化させて画像を補正処理し（ステップ＃７）、補正処理した各画像を図６に示すウィンドウ画面で表示する（ステップ＃８）。
変化パラメータ指定欄６７では、一般に顧客が最も重要視する「濃度」が初期値で設定されているが、プルダウンメニューから適宜に変更操作できる。
尚、顧客自身がモニタ５２のタッチパネルを操作して補正量を設定する場合は、補正量を複数段階に変化させる対象として「濃度」を固定設定しておき、図５の画面表示を行わずに、直ちに図６のウィンドウ画面を表示させるようにしても良い。
【００２６】
図６の画面表示では、同一の画像の画像データ（すなわち、元の画像の画像データ）について補正量を複数段階（具体的には、５段階）に変化させて補正処理した複数個（具体的には、５個）の画像を表示する画像表示エリア７１と、補正量を更に増加又は減少側の複数段階に変化させるための補正量増減ボタン表示７２と、何もせずに図６のウィンドウ画面を閉じるためのキャンセルボタン表示７３とが表示されている。更に、画像表示エリア７１には、マウス４ｄにてクリックした位置を検知して出力する機能を組み込んでいる。
図６の画像表示エリア７１に表示する補正画像間の補正量の差は予め設定してあり、適宜に設定変更することもできる。
図６のウィンドウ画面において、補正量増減ボタン表示７２がマウス４ｄ等によって押し操作されると（ステップ＃９）、更に補正量を段階的に増加あるいは減少させて補正量を変化させる範囲を更新し（ステップ＃１０）、その更新した５段階の補正量で元の画像を補正処理して（ステップ＃７）、画像表示エリア７１の画像表示を更新する（ステップ＃８）。
【００２７】
一方、顧客が画像表示エリア７１に表示された５個の画像を確認して、その中に、顧客の所望通りの画像品質のものが存在したときに、その画像の中心付近にカーソルを位置させた状態でマウス４ｄをクリック操作することによって、いずれか１つの表示画像が指定されると（ステップ＃１０）、図６のウィンドウ画面を閉じると共に、図５の補正画像表示エリア６１の表示画像を、その指定された画像の補正量で補正処理した画像に更新表示する（ステップ＃１２）。
これに対して、カーソルを画像表示エリア７１における画像と画像との境界付近に位置させた状態でマウス４ｄがクリック操作されて、カーソル位置の両側の画像（すなわち、隣り合う２段階の補正量の画像）が特定されると（ステップ＃１３）、図８のフローチャートに示す微調整処理を実行する（ステップ＃１４）。
【００２８】
図８の微調整処理では、図７に示す更に詳細に補正量を調整するための画面をウィンドウ表示する（ステップ＃２１）。
図７のウィンドウ表示では、上述のようにして特定された隣り合う２段階の補正量の画像を表示する画像表示エリア８１，８２に挟まれる状態で、補正量を上記２段階の補正量の間で更に細かいステップで補正量を変化させて画像処理装置５に適用させる補正量の設定状態を変化させるためのスライダ表示８３が表示され、そのスライダ表示８３の下に、そのスライダ表示８３で指定された補正量で元の画像を補正処理した結果の画像を表示する補正画像表示エリア８４が配置され、更にその下に、スライダ表示８３で設定した補正量を確定するＯＫボタン表示８５と、図７のウィンドウ表示での処理を中止して図６のウィンドウ表示での処理に戻すためのキャンセルボタン表示８６とが表示される。
スライダ表示８３は、移動対象であるノブ８３ａの位置によって、隣り合う２段階の補正量の間での補正量の調整状態を視認することができ、その調整状態を識別するための調整状態表示ＳＴとしても機能している。
【００２９】
図７の画面表示において、スライダ表示８３のノブ８３ａをマウス４ｄでドラッグ操作する等して、補正量の設定を変化させると（ステップ＃２２）、その設定変更後の補正量で元の画像を補正処理して（ステップ＃２３）、その補正処理によって得られた画像で補正画像表示エリア８４の表示を更新する（ステップ＃２４）。
この処理によって、スライダ表示８３による補正量の調整に追従して補正処理後の画像をモニタ４ｂに表示できる。
補正画像表示エリア８４に表示された画像を顧客が確認して、所望通りの画像になったときに、ＯＫボタン表示８５を押し操作すると（ステップ＃２５）、図６及び図７のウィドウ表示を閉じると共に、図５の補正画像表示エリア６１の表示画像を、その時点で補正画像表示エリア８４に表示されている画像に適用されている補正量で補正処理した画像に更新表示する（ステップ＃２６）。
以上のような操作で、補正処理条件が設定されて、ＯＫボタン表示６４が押し操作されると（ステップ＃１５）、その時点で補正画像表示エリア６１に表示されている画像に適用されている補正処理条件を画像処理装置５の補正処理回路２３へ送信する（ステップ＃１６）。
【００３０】
この補正処理条件を受け取った補正処理回路２３は、通常の写真プリントの作製と同様に、入力バッファメモリ２１からプリント対象の画像データ（この場合は、証明写真の作製のためにデジタルカメラにて撮影された画像データ）を読み出して、指定された補正処理条件で補正処理を実行て、補正処理の完了した画像データを出力バッファメモリ２４へ書込む。
出力バッファメモリ２４に書込まれた画像データは、露光制御装置１４へ送られて印画紙２に露光処理され、その印画紙２が現像処理装置ＰＰにて現像処理及び乾燥処理されて証明写真の写真プリントとして仕上げられる。
以上から、主制御装置４及びプリント注文受付装置ＯＲの制御装置５４は、画像処理装置５の補正処理条件を管理する補正管理装置ＣＣとして機能する。
【００３１】
〔別実施形態〕
以下、本発明の別実施形態を列記する。
（１）上記実施の形態では、画像処理装置５にて生成した縮小画像を主制御装置４等に送り、画像処理装置５にて適用される補正処理と同等の補正処理を主制御装置４等において実行してモニタ４ｂ等に表示する場合を例示しているが、主制御装置４等では補正処理を行わず、主制御装置４等から指定した補正処理条件で画像処理装置５が補正処理した画像データを逐次に主制御装置４等へ送ってモニタ４ｂ等に表示させるようにしても良い。
（２）上記実施の形態では、隣り合う２段階の補正量の間での補正量の調整状態を識別するためにスライダ表示８３を備えて、補正量の指示入力と調整状態の表示とを一体に行う場合を例示しているが、例えば、補正量を指示入力するためのボタン表示を備えると共に、補正量の調整状態をバーグラフや円グラフで表示する等して、補正量の入力操作と調整状態の表示とを分離させても良く、これらの具体構成は種々に変更可能である。
【００３２】
（３）上記実施の形態では、補正処理条件の設定作業における補正量の微調整処理等の支援機能を証明写真の写真プリントを作製する場合にのみ備える場合を例示しているが、通常の写真プリントを作製する場合に補正量の微調整処理等の支援機能を備えても良い。
（４）上記実施の形態では、写真プリント装置ＥＰの具体構成として、レーザビーム露光式の写真プリント装置ＥＰを例示しているが、ＰＬＺＴ等による光シャッタアレイ方式等の他の露光形式を採用するものでも良いし、インクジェットプリント方式等の露光によらないプリント形式を採用するものでも良い。
【図面の簡単な説明】
【００３３】
【図１】本発明の実施の形態にかかる要部ブロック構成図
【図２】本発明の実施の形態にかかる写真プリントシステムの概略ブロック構成図
【図３】本発明の実施の形態にかかるプリント注文受付装置の外観斜視図
【図４】本発明の実施の形態にかかる写真プリントシステムの設置状態を例示する斜視図
【図５】本発明の実施の形態にかかるモニタの画面表示例
【図６】本発明の実施の形態にかかるモニタの画面表示例
【図７】本発明の実施の形態にかかるモニタの画面表示例
【図８】本発明の実施の形態にかかるフローチャート
【図９】本発明の実施の形態にかかるフローチャート
【符号の説明】
【００３４】
４ｂ，５２  モニタ
５          画像処理装置
ＥＰ        写真プリント装置
ＣＣ        補正管理装置
ＯＰ        入力操作手段
ＳＴ        調整状態表示
【図１】
2005331633.tif 000003
【図２】
2005331633.tif 000004
【図３】
2005331633.tif 000005
【図４】
2005331633.tif 000006
【図５】
2005331633.tif 000007
【図６】
2005331633.tif 000008
【図７】
2005331633.tif 000009
【図８】
2005331633.tif 000010
【図９】
2005331633.tif 000011